(57)【要約】【課題】安価な手段で偏重心ディスク等の回転による振動の影響を受けない光記録再生とアナログ磁気記録再生の融合装置を提供することを目的とする。【解決手段】光記録再生装置の振動とフレーム脚の固有振動数と一致し、共振しないよう、フレーム脚の剛性を上げることにより、光記録再生とアナログ磁気記録再生の融合装置全体が振動しないようにできる。【選択図】図１
2005259327.tif 000002
【特許請求の範囲】
【請求項１】
内部にメカニズムを有し前記メカニズムから発生する振動を吸収する第１の振動吸収手段を備えた第１の記録再生装置と、第２の記録再生装置とを同一筐体内に配した情報記録再生装置であって、前記第１の記録再生装置をフレームに支持固定する支持部材と、前記支持部材と前記第２の記録再生装置とを固定したフレームと、前記支持部材と前記第１の記録再生装置との間に配された第２の振動吸収手段とを備えたことを特徴とする情報記録再生装置。
【請求項２】
ディスクを回転させるスピンドルモータと、前記ディスクを固定するターンテーブルと、前記ディスクに記録・再生するためのレーザー発光装置と、前記レーザー発光装置を前記ディスクの内外周に動かすモータと、前記スピンドルモータと前記レーザー発光装置と前記モータが取り付けられているシャーシと、前記シャーシに第１の粘弾性材を介して取り付けられている動吸振材で構成された光記録・再生媒体アセンブリと、前記光記録・再生媒体アセンブリを第２の粘弾性材を介してフレームに取り付ける構成からなる光記録・再生ドライブユニットと、前記光記録・再生ドライブユニットを第３の粘弾性材を介して外装フレームアングルに取り付ける構成からなり、前記スピンドルモータから外装フレームアングルまでの構成に前記第１〜第３の粘弾性材を設けたことを特徴とする光記録・再生装置。
【請求項３】
光記録・再生ドライブユニットを外装フレームアングルに少なくとも２ヶ所且つ第３の粘弾性材を介して取り付けることを特徴とする請求項２記載の光記録・再生装置。
【請求項４】
粘弾性材の位置関係は、第１および第２の粘弾性材の取り付けピッチ円より第３の粘弾性材の取り付けピッチ円が大きいことを特徴とする請求項２記載の光記録・再生装置。
【請求項５】
内部にメカニズムを有し前記メカニズムから発生する振動を吸収する振動吸収手段を備えた光記録再生装置と、アナログ磁気記録再生装置とを同一筐体内に配した光記録再生とアナログ磁気記録再生の融合装置であって、前記光記録再生装置に固定されたアングルと、前記アングルと前記アナログ磁気記録再生装置とを固定したフレームと、前記フレーム下部に取り付けられているフレーム前脚２箇所以上，フレーム後ろ脚２箇所以上からなり、前記フレーム前脚の少なくとも２個と前記フレーム後ろ脚の少なくとも２個は、異なった材質で且つ大きさの異なった形状で構成され、大きい方のフレーム脚の１脚当たり２５０ｍｍ２以上の面積で、且つ樹脂，金属，セラミック等の硬質フレーム脚を有していることを特徴とする情報記録再生装置。
【請求項６】
光記録再生ドライブユニットのスピンドルモータの回転により発生する振動に対して光記録再生とアナログ磁気記録再生の融合装置のフレーム脚の固有振動数を大きくすることを特徴とする請求項５記載の情報記録再生装置。
【発明の詳細な説明】
【技術分野】
【０００１】
本発明は、ＤＶＤ（デジタル多用途ディスク）に映像音声信号などの各種情報信号を記録再生可能な記録型ＤＶＤ（以下、ＤＶＤレコーダーと記す）等に用いて有効な情報記録再生装置およびそれを用いた光記録・再生装置に関するものである。
【背景技術】
【０００２】
近年、ＤＶＤ（デジタル多用途ディスク）に映像音声を記録再生する機器が増えてきており、従前から大幅に普及していたアナログ式ビデオテープレコーダーに代わって、記録再生装置のトレンドとなりつつある。そのような中、使用者が今までビデオテープに記録してきた映像音声を、ＤＶＤなどの光学式ディスクにダビングするニーズが高まっている。それを容易に達成するためにディスクとビデオテープとを同一筐体内に装填可能な製品が出てきている。本発明はこのような製品に係るものである。
【０００３】
従来の光記録・再生装置は、スピンドルモータから外装フレームまでの構成に粘弾性材が２ヶ所に入っている構成を有している。以下に従来の光記録・再生装置について、特許文献１である特開平１０−２０８４６２号公報に基づいて説明する。
【０００４】
図９は従来の光記録・再生とアナログ磁気記録・再生の融合装置の上面図、図１０は図９のＰ矢視図で外装フレーム１のみ断面にした側面図、図１１は図１０の光記録・再生ドライブユニット４の上面詳細図、図１２は、図１１のＷ−Ｗ断面図を示したものである。
【０００５】
図９〜１２を説明すると、８はディスク（図示せず）を保持するターンテーブル、１４はターンテーブルを高速回転させディスクを回転させるスピンドルモータ、９はディスクに映像音声信号などの各種情報信号を記録・再生するためのレーザー発光装置、１０はレーザー発光装置９をディスクの内外周（半径方向）に動かすモータ、１１はターンテーブル８とスピンドルモータ１４とレーザー発光装置９とモータ１０を固定するシャーシ、６，７は偏重心ディスク等が回転するときに発生する加速度をキャンセルする粘弾性材Ａ，粘弾性材Ｂ、１２は粘弾性材Ａ６に取り付けられている動吸振材、１３はシャーシ１１を粘弾性材Ｂ７を介して保持固定するフレームである。
【０００６】
従来の光記録・再生ドライブユニット４を外装フレームアングル５で保持固定、１は外装フレーム、２は磁気記録再生ユニットである。
【０００７】
以上のように構成された従来の光記録・再生とアナログ磁気記録・再生の融合装置について、以下にその動作について説明する。
【０００８】
ディスクをターンテーブル８で固定し、固定されたディスクをスピンドルモータ１４で回転させ、その回転しているディスクにレーザー発光装置９により記録または再生するレーザーを照射する。このとき、偏重心ディスク等の回転により発生する振動を、動吸振材１２と粘弾性材Ａ６と粘弾性材Ｂ７で減衰をさせる。
【特許文献１】特開平１０−２０８４６２号公報
【特許文献２】特開平１０−２３３０８６号公報
【特許文献３】特開２００２−２０８２６９号公報
【発明の開示】
【発明が解決しようとする課題】
【０００９】
しかしながら上記の従来の構成では、図７に示すように、偏重心ディスク等が回転した時に発生する振動が、光記録・再生ドライブユニット４の中で吸収しきれず、外装フレームアングル５，外装フレーム１等の他の部品と共振し、異音が発生していた。
【００１０】
また、その振動が磁気記録再生ユニット２に伝わってユニット２を振動させ、アナログ磁気記録・再生装置出力の画像にジッタなどのノイズが生じてしまうという悪影響を及ぼしていた。
【００１１】
本発明は上記従来の問題点を解決するもので、光記録・再生ドライブユニットを粘弾性材を介して外装フレームアングルに取り付けることにより光記録・再生ドライブユニットの中で吸収しきれない振動を外装フレーム，その他の部品に伝えることなく減衰させることができるため、共振音の発生がなく、アナログ磁気記録・再生装置出力映像への影響がない光記録・再生装置を提供することを目的とする。
【課題を解決するための手段】
【００１２】
この目的を達成するために本発明の情報記録再生装置は、内部にメカニズムを有し前記メカニズムから発生する振動を吸収する第１の振動吸収手段を備えた第１の記録再生装置と、第２の記録再生装置とを同一筐体内に配した情報記録再生装置であって、前記第１の記録再生装置をフレームに支持固定する支持部材と、前記支持部材と前記第２の記録再生装置とを固定したフレームと、前記支持部材と前記第１の記録再生装置との間に配された第２の振動吸収手段とを備えたものである。
【００１３】
また、この目的を達成するために本発明の光記録・再生装置は、ディスクを回転させるスピンドルモータと、前記ディスクを固定するターンテーブルと、前記ディスクに記録・再生するためのレーザー発光装置と、前記レーザー発光装置を前記ディスクの内外周に動かすモータと、前記スピンドルモータと前記レーザー発光装置と前記モータが取り付けられているシャーシと、前記シャーシに粘弾性材Ａを介して取り付けられている動吸振材で構成された光記録・再生媒体アセンブリと、前記光記録・再生媒体アセンブリを粘弾性材Ｂを介してフレームに取り付ける構成からなる光記録・再生ドライブユニットと、前記光記録・再生ドライブユニットを粘弾性材Ｃを介して外装フレームアングルに取り付ける構成からなり、前記スピンドルモータから外装フレームアングルまでの構成に粘弾性材Ａ，Ｂ，Ｃの３ヶ所入れるという構成を有している。
【００１４】
この構成によって、光記録・再生ドライブユニットを粘弾性材を介して外装フレームアングルに取り付けることにより光記録・再生ドライブユニットのなかで吸収しきれない振動を外装フレーム，その他の部品に伝えることなく減衰させることができるため、共振音の発生がなく、アナログ磁気記録・再生装置出力映像への影響がない光記録・再生装置が得られる。
【発明の効果】
【００１５】
以上のように本発明は、第２の記録再生装置である光記録・再生ドライブユニットを粘弾性材を介して外装フレームアングルに取り付けることにより光記録・再生ドライブユニットの中で吸収しきれない振動を外装フレーム，その他の部品に伝えることなく減衰させることができるため、共振音の発生を低減または解消することができる。
【００１６】
さらに、第２の記録再生装置である光記録・再生ドライブユニットから、第１の記録再生装置であるアナログ磁気記録・再生装置に対して振動の伝達を低減あるいは解消することができ、第１の記録再生装置であるアナログ磁気記録・再生装置における出力映像・音声への悪影響がないという優れた効果が得られる。
【発明を実施するための最良の形態】
【００１７】
本発明の請求項１に記載の発明は、内部にメカニズムを有し前記メカニズムから発生する振動を吸収する第１の振動吸収手段を備えた第１の記録再生装置と、第２の記録再生装置とを同一筐体内に配した情報記録再生装置であって、前記第１の記録再生装置をフレームに支持固定する支持部材と、前記支持部材と前記第２の記録再生装置とを固定したフレームと、前記支持部材と前記第１の記録再生装置との間に配された第２の振動吸収手段とを備えたものであり、これにより、光記録・再生ドライブユニットを粘弾性材を介して外装フレームアングルに取り付けることにより光記録・再生ドライブユニットのなかで吸収しきれない振動を外装フレーム，その他の部品に伝えることなく減衰させることができるため、共振音の発生がなく、アナログ磁気記録・再生装置出力映像への影響がない優れた効果が得られる。
【００１８】
また、請求項２〜４に記載の発明は、ディスクを回転させるスピンドルモータと、前記ディスクを固定するターンテーブルと、前記ディスクに記録・再生するためのレーザー発光装置と、前記レーザー発光装置を前記ディスクの内外周に動かすモータと、前記スピンドルモータと前記レーザー発光装置と前記モータが取り付けられているシャーシと、前記シャーシに粘弾性材Ａを介して取り付けられている動吸振材で構成された光記録・再生媒体アセンブリと、前記光記録・再生媒体アセンブリを粘弾性材Ｂを介してフレームに取り付ける構成からなる光記録・再生ドライブユニットと、前記光記録・再生ドライブユニットを粘弾性材Ｃを介して外装フレームアングルに取り付ける構成からなり、前記スピンドルモータから外装フレームアングルまでの構成に粘弾性材Ａ，Ｂ，Ｃの３ヶ所入れるという構成としたものであり、光記録・再生ドライブユニットを粘弾性材を介して外装フレームアングルに取り付けることにより光記録・再生ドライブユニットのなかで吸収しきれない振動を外装フレーム，その他の部品に伝えることなく減衰させることができるため、共振音の発生がなく、アナログ磁気記録・再生装置出力映像への影響がないという作用を有する。
【００１９】
以下、本発明の実施の形態について、図面を用いて説明する。
【００２０】
（実施の形態１）
図１は本発明の実施の形態における光記録・再生とアナログ磁気記録・再生の融合装置の上面図、図２は図１のＺ矢視図で外装フレームのみ断面にした側面図、図３は図１のＹ−Ｙ断面図、図４は図２の光記録・再生ドライブユニットの上面詳細図、図５は図４のＸ−Ｘ断面図を示したものである。
【００２１】
図において、３８はディスク（図示せず）を保持するターンテーブル、４４はターンテーブル３８を高速回転させディスクを回転させるスピンドルモータ、３９はディスクに映像音声信号などの各種情報信号を記録・再生するためのレーザー発光装置で、特に詳細説明は省略するがレーザー光を照射するレーザーダイオードと、受光手段である光ピックアップなどもこの装置に含まれている。４０はレーザー発光装置３９をディスクの半径方向（内外周）に動かすモータ、４１はターンテーブル３８とスピンドルモータ４４とレーザー発光装置３９とモータ４０を固定するシャーシである。
【００２２】
３６及び３７は偏重心ディスク等が回転するときに発生する加速度によって発生する振動をキャンセルする第１の振動吸収手段である粘弾性材Ａ及び粘弾性材Ｂで、粘弾性材Ａ３６は、図５に示すようにその胴部が動吸振材４２に固定され、その下端がシャーシ４１に固定されている。また、本実施の形態では略円筒形状を成しており、図４に示すように動吸振材４２における対向する縁部に３カ所配されている。なお、この形状や個数や設置箇所については本実施の形態に限定されるものではない。
【００２３】
粘弾性材Ｂ３７は、図５に示すようにその胴部がシャーシ４１に固定され、その下端が
フレーム４３に固定されている。また、本実施の形態では略円筒形状でかつ中央に貫通孔を有した形状を成しており、図４に示すようにシャーシ４１における対向する縁部に３カ所配されている。また、図４に示すように動吸振材４２における粘弾性材Ｂ３７が設けられた部位は、粘弾性材Ｂ３７と接触しないように切り欠きが設けられている。なお、この形状や個数や設置箇所や切り欠き有無については本実施の形態に限定されるものではない。
【００２４】
４２は粘弾性材Ａ３６に取り付けられている動吸振材で、その略中央にはターンテーブル３８やレーザー発光装置３９が目視可能なように開口が設けられている。また動吸振材４２は板金などの金属より構成されている。また、動吸振材４２における粘弾性材Ｂ３７の近傍には、粘弾性材Ｂ３７に接触しないように、切り欠きが設けられている。動吸振材４２は自らが振動し、他の部品へ振動を伝えないように設けられたものである。
【００２５】
４３はシャーシ４１を粘弾性材Ｂ３７を介してビスにより保持固定されるフレームで、図４に示すように略四角形を成しており、その各角部には外装フレームアングル３５にビスにより固定するための固定部がそれぞれ設けられている。
【００２６】
３４は上記構成よりなる第１の記録再生装置である光記録・再生ドライブユニットである。
【００２７】
３３は光記録・再生ドライブユニット３４の振動を減衰させる第２の振動吸収手段である粘弾性材Ｃで、粘弾性材Ｃ３３は、図３に示すようにその胴部が光記録再生ドライブユニット３４のフレーム４３が固定され、その下端が外装フレームアングル３５の上部に固定されている。また、本実施の形態では略円筒形状でかつ中央に貫通孔を有した形状を成しており、図１に示すように光記録再生ドライブユニット３４の端部４カ所に配されている。なお、この形状や個数や設置箇所については本実施の形態に限定されるものではない。
【００２８】
本実施の形態において、粘弾性材Ａ３６と粘弾性材Ｂ３７と粘弾性材Ｃ３３の硬度の関係は、実際のＶＴＲ一体型ＤＶＤレコーダーに実施した状態で硬度の最適値を実験により求めた結果、それぞれの硬度をＡ／Ｂ／Ｃとした時、Ａ＞Ｂ＞Ｃの関係が成り立つように設定すればよいことがわかった。なお、本実施の形態では上記関係にしたが、これに必ずしも限定されるものではなく、搭載するドライブやメカニズムによって、Ｃ＜Ａ＜Ｂや、Ｃ＜Ｂ＝Ａや、逆にＣが最大になるように設定してもよい。
【００２９】
また、粘弾性材Ａ３６と粘弾性材Ｂ３７と粘弾性材Ｃ３３の材料としては、一般的な弾性材料であるゴムが用いられ、本実施の形態ではシリコン系ゴムを用いた。また、粘弾性材Ａ３６と粘弾性材Ｂ３７と粘弾性材Ｃ３３に用いる材料は必ずしも同じ材料を用いる必要はなく、粘弾性材Ａ３６と粘弾性材Ｂ３７はシリコン系ゴム、粘弾性材Ｃ３３はスチレン系ゴムを用いるなど、用いる材料を異ならせてもよい。
【００３０】
さらに、粘弾性材Ａ３６と粘弾性材Ｂ３７と粘弾性材Ｃ３３の位置関係は、粘弾性材Ａ３６及び粘弾性材Ｂ３７の取り付けピッチ円より、粘弾性材Ｃ３３の取り付けピッチ円が大きい。
【００３１】
３５は光記録・再生ドライブユニット３４を粘弾性材Ｃ３３を介して保持固定している外装フレームアングルで、本実施の形態では図示のように矩形状に構成している。外装フレームアングル３５の他端は外装フレーム３１にビスなどで固定され、一端は光記録再生ドライブユニット３４にビスなどで固定されている。３１は外装フレームアングル３５を保持固定している外装フレーム、３２はアナログ記録再生可能なビデオテープに対して映
像音声信号などの各種情報信号を記録再生可能な第２の記録再生手段である磁気記録再生ユニットで、本実施の形態ではアナログ式のビデオテープレコーダーを想定しており、テープカセットを移動案内させる機構、テープをカセットから引き出し／収納するローディング機構、テープに対して信号の記録再生を行う回転ヘッドシリンダなどから構成される。外装フレーム３１の内部に、光記録再生ドライブユニット３４と磁気記録再生ユニット３２とを配している。
【００３２】
なお、本実施の形態では、第２の記録再生装置としての磁気記録再生ユニット２と、第１の記録再生装置としての光記録再生ドライブユニット４とが同一筐体内に収められた機器に関して説明をしているが、これらのユニットに限定されるものではなく、光記録再生ドライブユニットが２基搭載されたものに利用しても有効である。また、一方がハードディスクドライブ（ＨＤＤ）である機器に利用しても有効である。さらに、アナログ磁気記録再生メカシャーシは、アナログ式のビデオテープレコーダーを想定したものであるが、デジタル式のＶＴＲでもよい。
【００３３】
以上のように構成された本実施の形態について、以下にその動作について説明する。
【００３４】
まず、光記録再生ドライブユニット３４においては、ディスクをターンテーブル３８に装着し、スピンドルモータ４４でターンテーブル３８を回転させることで、ディスクを回転させることができる。その回転しているディスクに対して、レーザー発光装置３９によりレーザー光を照射することで、映像音声信号などの各種情報信号をディスクに対して記録再生することができる。
【００３５】
一方、磁気記録再生ユニット３２においては、アナログ記録が可能なビデオテープカセットを装填し、カセットから記録媒体（テープ）を引き出し、磁気ヘッドが搭載された回転シリンダに巻き付けることで、テープに対して映像音声信号などの各種情報信号の記録再生が可能となる。
【００３６】
本実施の形態では、これらの光記録再生ドライブユニット３４と磁気記録再生ユニット３２とを、一つの筐体である外装フレーム３１に内包し、各々ユニットで独立して信号の記録再生を行ったり、各ユニット間で信号の授受（移動やダビング）を行ったりすることができる。
【００３７】
次に、偏重心ディスクなどを光記録再生ドライブユニット３４で回転させた時の動作について説明する。
【００３８】
偏重心ディスクとは、重心がディスク中央ではなく、偏心した位置にあるディスクのことである。例えば、表裏張り合わせよりなるディスクにおいて、張り合わせの位置精度が悪く、ディスクの半径方向に位置がずれた状態のディスクのことであり、このようなディスクをターンテーブルに装着して高速回転させた場合に、ドライブにおいて不要な振動が発生する。
【００３９】
上記のような偏重心ディスク等をターンテーブル３８に装着し、スピンドルモータ４４でターンテーブル３８を回転させると、正常なディスクを回転させた時に発生する振動以外に、不要な振動がターンテーブル３８に発生する。ターンテーブル３８に発生した振動は、スピンドルモータ４４を介してシャーシ４１に伝達される。シャーシ４１に伝達された振動は、動吸振材４２と粘弾性材Ａ３６と粘弾性材Ｂ３７に伝えられ、振動が減衰される。ここまでは前述の従来技術に相当する動作である。本実施の形態は、動吸振材４２と粘弾性材Ａ３６と粘弾性材Ｂ３７で減衰しきれない振動を軽減あるいは解消させるものである。
【００４０】
前述の構成で減衰できずに残ってしまった振動は、粘弾性材Ｂ３７を介してフレーム４３に伝達され、光記録再生ドライブユニット３４全体が振動することとなる。光記録再生ドライブユニット３４は外装フレーム３１に対して外装フレームアングル３５を介して固定されており、本実施の形態では、光記録再生ドライブユニット３４と外装フレームアングル３５との間に粘弾性材Ｃ３３を配している。このように粘弾性材Ｃ３３を設けることにより、光記録再生ドライブユニット３４に発生した振動を吸収している。よって、外装フレームアングル３５へ振動が伝達するのを防ぐことができ、外装フレーム３１，磁気記録再生ユニット３２、その他の部品に振動を伝えないようにできている。
【００４１】
以上のように本実施の形態によれば、光記録・再生ドライブユニット３４を粘弾性材Ｃ３３を介して外装フレームアングル３５に取り付けることにより、光記録・再生ドライブユニット３４の中で吸収しきれない振動を、外装フレーム３１、外装フレームアングル３５，磁気記録再生ユニット３２、その他の部品に伝えることなく減衰させることができるため、従来外装フレームアングル３５周辺で発生していた共振音の発生を、低減あるいは解消することができる。
【００４２】
また、アナログ磁気記録・再生装置出力映像へ振動による悪影響がないため、従来のようなアナログ磁気記録再生装置における、ジッタノイズなどによる画質・音質低下を低減あるいは解消することができる。
【００４３】
（実施の形態２）
図６は本発明の実施の形態における光記録再生とアナログ磁気記録再生の融合装置の上面図、図７は図６のＺ矢視図、図８は下面図を示したものである。図６，７，８を説明すると、従来の光記録再生ドライブユニット１４を外装フレームアングル１５で保持固定、１１は外装フレーム、１２はアナログ磁気記録再生メカシャーシユニット、１６Ａ，１６Ｂはデッキ全体を支えているフレーム脚である。
【００４４】
本実施の形態では図８に示すように２種類の材質で４箇所のフレーム脚にて構成され、そのうち前２箇所１６Ａのフレーム脚は、１脚当たりの面積を２５０ｍｍ２である。なお、この形状や個数については本実施の形態に限定されるものではない。
【００４５】
また、フレーム脚の後ろ２箇所１６Ｂの材質は、設置面に対し滑り防止としてゴム系の材料を使用、前２箇所１６Ａは、ゴム系より温度の影響を受けにくい樹脂材料のＰＰＳを使用した。なお、この材質や個数については本実施の形態に限定されるものではない。
【００４６】
さらに、光記録再生ドライブユニット１４のスピンドルモータの回転により発生する振動に対して光記録再生とアナログ磁気記録再生の融合装置のフレーム脚の固有振動数は大きくする。
【００４７】
なお、本実施の形態では、アナログ磁気記録再生装置としてのアナログ磁気記録再生メカシャーシユニット１２と、光記録再生装置としての光記録再生ドライブユニット１４とが同一筐体内に収められた機器に関して説明をしているが、これらのユニットに限定されるものではなく、光記録再生ドライブユニット１４が２基搭載されたものに利用しても有効である。また、一方がハードディスクドライブ（ＨＤＤ）である機器に利用しても有効である。さらに、アナログ磁気記録再生メカシャーシ１２は、アナログ式のビデオテープレコーダーを想定したものであるが、デジタル式のＶＴＲでもよい。
【００４８】
以上のように構成された本実施の形態について、以下にその動作について説明する。
【００４９】
ディスクをターンテーブルに装着し、スピンドルモータでターンテーブルを回転させることで、ディスクを回転させることができる。その回転しているディスクに対して、レーザー発光装置によりレーザー光を照射することで、映像音声信号などの各種情報信号をディスクに対して記録再生することができる。
【００５０】
一方、アナログ磁気記録再生メカシャーシユニット１２においては、アナログ記録が可能なビデオテープカセットを装填し、カセットから記録媒体（テープ）を引き出し、磁気ヘッドが搭載された回転シリンダに巻き付けることで、テープに対して映像音声信号などの各種情報信号の記録再生が可能となる。
【００５１】
次に、偏重心ディスクなどを光記録再生ドライブユニット１４で回転させた時の動作について説明する。
【００５２】
偏重心ディスクとは、その重心がディスク中央ではなく、偏心した位置にあるディスクのことである。例えば表裏張り合わせよりなるディスクにおいて、張り合わせの位置精度が悪く、ディスクの半径方向に位置がずれた状態のディスクのことであり、このようなディスクをターンテーブルに装着して高速回転させた場合に、不要な振動が発生する。
【００５３】
上記のような偏重心ディスク等をターンテーブルに装着し、スピンドルモータでターンテーブルを回転させると、正常なディスクを回転させた時に発生する振動以外に、不要な振動がターンテーブルに発生する。ターンテーブルに発生した振動は、光記録再生ドライブユニット１４を介して光記録再生とアナログ磁気記録再生の融合装置全体を振動させる。ここまでは前述の従来技術に相当する動作である。本実施の形態は、光記録再生とアナログ磁気記録再生の融合装置全体の振動とフレーム脚が共振し振動が増幅されないようにスピンドルモータの回転により発生する振動に対して、フレーム前脚２箇所をＰＰＳにし、フレーム脚の固有振動数を大きくすることで、光記録再生とアナログ磁気記録再生の融合装置全体の振動がフレーム脚により増幅されないようにできる。
【００５４】
また、アナログ磁気記録再生装置出力映像へ振動による悪影響がないため、従来のようなアナログ磁気記録再生装置における、ジッタノイズなどによる画質・音質低下を低減あるいは解消することができる。
【産業上の利用可能性】
【００５５】
本発明にかかる情報記録再生装置およびそれを用いた光記録・再生装置は、ＤＶＤレコーダー等のディスクメディアを使用する機器として有用であり、特に安価な手段で偏重心ディスク等の回転による振動を抑制するのに適している。
【００５６】
また、本実施の形態は磁気記録再生ユニットと光記録再生ドライブユニットとが同一筐体内に収められた機器に関して説明をしているが、これらのユニットに限定されるものではなく、光記録再生ドライブユニットが２基搭載されたものに利用しても有効である。
【００５７】
また、一方が光記録再生ドライブユニットで、他方がハードディスクドライブユニット（ＨＤＤ）である機器に利用しても有効である。
【００５８】
さらに、アナログ磁気記録再生メカシャーシは、アナログ式のビデオテープレコーダーを想定したものであるが、デジタル式のＶＴＲでもよい。
【００５９】
また、光記録再生ドライブユニットはＤＶＤに限ることなく、円盤状記録媒体であるディスクによる信号の記録再生を行うものであればよい。
【００６０】
また、本実施の形態は２つのユニットを１つの筐体に内包した構成で説明しているが、３つ以上のユニットを搭載するものにも利用できる。
【図面の簡単な説明】
【００６１】
【図１】本発明の実施の形態における情報記録再生装置の上面図
【図２】同実施の形態における図１のＺ矢視図
【図３】同実施の形態における図１のＹ−Ｙ断面図
【図４】同実施の形態における図２の光記録・再生ドライブユニットの上面詳細図
【図５】同実施の形態における図４のＸ−Ｘ断面図
【図６】本発明の実施の形態２における情報記録再生装置の上面図
【図７】同実施の形態における断面図
【図８】同実施の形態における底面図
【図９】従来の情報記録再生装置の上面図
【図１０】同実施の形態における図６のＰ矢視図
【図１１】同実施の形態における図７の光記録・再生ドライブユニットの上面詳細図
【図１２】同実施の形態における図８のＷ−Ｗ断面図
【符号の説明】
【００６２】
１６Ａ    フレーム前脚
１６Ｂ    フレーム後ろ脚
３１    外装フレーム
３２    磁気記録再生ユニット
３３    粘弾性材Ｃ
３４    光記録・再生ドライブユニット
３５    外装フレームアングル
３６    粘弾性材Ａ
３７    粘弾性材Ｂ
３８    ターンテーブル
３９    レーザー発光装置
４０    モータ
４１    シャーシ
４２    動吸振材
４３    フレーム
４４    スピンドルモータ
【図１】
2005259327.tif 000003
【図２】
2005259327.tif 000004
【図３】
2005259327.tif 000005
【図４】
2005259327.tif 000006
【図５】
2005259327.tif 000007
【図６】
2005259327.tif 000008
【図７】
2005259327.tif 000009
【図８】
2005259327.tif 000010
【図９】
2005259327.tif 000011
【図１０】
2005259327.tif 000012
【図１１】
2005259327.tif 000013
【図１２】
2005259327.tif 000014